(57)【要約】【課題】  照射光の向きを簡単にかつ確実に変更でき、しかも安全に操作できる発光装置を提供する。【解決手段】  光源としてＬＥＤ１１を内蔵する発光管２と、発光管２の両端に配置され、外部のソケット部に対して着脱自在に接続されるピン端子３０をその一端に有する口金部３と、発光管２と口金部３の間に設けられ、発光管２の口金部３に対する回転角度位置を変更可能な回転角度位置変更手段とから発光装置１を構成する。回転角度位置変更手段は、口金部３の側に設けられるとともにピン端子３０に電気的に接続された出没自在なボール３５と、発光管２の側の導電性エンドプレート２４上において円周上に均等間隔で配設され、ボール３５が係脱自在に係合し得る複数の穴２５とから構成されている。エンドプレート２４は、基板１０の配線部分に電気的に接続されている。【選択図】  図７
2011070985.tif 000002
【特許請求の範囲】
【請求項１】
発光装置であって
指向性を有する発光管と、
前記発光管の少なくとも一端側に配置され、外部のソケット部に対して着脱自在に接続される電極を一端に有する口金部と、
前記発光管と前記口金部の間、または前記口金部に設けられ、前記発光管の前記口金部に対する回転角度位置を変更可能な回転角度位置変更手段と、
を備えた発光装置。
【請求項２】
請求項１において、
前記回転角度位置変更手段が、前記発光管または前記口金部のいずれか一方の側、あるいは前記口金部を構成する第１の口金部に設けられた突設部と、前記発光管または口金部の他方の側、あるいは前記口金部を構成する第２の口金部において円周上に配設され、前記突設部が係脱自在に係合し得る複数の係合凹部とから構成されている、
ことを特徴とする発光装置。
【請求項３】
請求項２において、
前記突設部の前記係合凹部に対する係合状態は、前記発光管を前記口金部に対して回転させることにより、または前記発光管を前記口金部から離れる側に移動させることにより、解除されるようになっている、
ことを特徴とする発光装置。
【請求項４】
請求項２において、
前記突設部が設けられた前記発光管または前記口金部には、前記突設部の前記係合凹部に対する係合状態を強制的に解除するための操作部がさらに設けられている、
ことを特徴とする発光装置。
【請求項５】
請求項２において、
前記突設部が前記電極に電気的に接続されている、
ことを特徴とする発光装置。
【請求項６】
請求項１において、
前記発光管の前記口金部に対する回転量を規制する回転量規制手段が設けられている、
ことを特徴とする発光装置。
【発明の詳細な説明】
【技術分野】
【０００１】
本発明は、指向性を有する発光管を備えた発光装置に関し、詳細には、照射光の向き（つまり配光方向）を簡単に変更でき、かつ安全に操作できる発光装置に関する。
【背景技術】
【０００２】
光源として例えば発光ダイオード（ＬＥＤ）を用いた蛍光灯型の発光装置が種々提案されている（特開２００６−１０００３６号および特開２００７−２５７９２８号公報参照）。一般に、発光ダイオードは、蛍光灯に比べて、消費電力が低く、長寿命であるため、発光装置の光源として最近注目されている。
【発明の概要】
【発明が解決しようとする課題】
【０００３】
ところが、発光ダイオードの視野角が一定の範囲に限定されるため、照射光も一定の範囲しか照射できず、このため、発光ダイオードを用いた従来の発光装置では、その用途も限定されたものであった。
【０００４】
その一方、特開２００７−１２２９３３号公報には、ＬＥＤを搭載する基板を支持基体に回動自在に設け、基板を回動させることで照射光の向きを変えられるようにしたものが提案されている。
【０００５】
しかしながら、この場合には、基板を直接回動させる必要があるため、操作中に基板の配線個所を傷付けたり、配線個所に直接触れることで回路がショートしたりする危険性がある。さらに、この場合には、基板の回動軸が支持基体に摩擦力で支持されているだけなので、一旦セットした基板の位置が振動や基板自身の重量によるモーメントの作用で簡単にずれてしまう恐れがある。
【０００６】
本発明は、このような従来の実情に鑑みてなされたものであり、本発明が解決しようとする課題は、照射光の向きを簡単に変更でき、かつ安全に操作できる発光装置を提供することにある。また、本発明は、照射光の向きの変更を確実に行える発光装置を提供しようとしている。
【課題を解決するための手段】
【０００７】
請求項１の発明に係る発光装置は、指向性を有する発光管と、発光管の少なくとも一端側に配置され、外部のソケット部に対して着脱自在に接続される電極を一端に有する口金部と、発光管と口金部の間または口金部に設けられ、発光管の口金部に対する回転角度位置を変更可能な回転角度位置変更手段とを備えている。
【０００８】
請求項１の発明によれば、発光装置の照射光の向きを変更する際には、回転角度位置変更手段を介して発光管を口金部に対して回転させればよく、これにより、照射光の向きを簡単に変更できる。しかも、この場合には、従来のように基板を直接回動させる必要がないので、照射光の向きを安全に操作できるようになる。
【０００９】
請求項２の発明では、請求項１において、回転角度位置変更手段が、発光管または口金部のいずれか一方の側、あるいは口金部を構成する第１の口金部に設けられた突設部と、発光管または口金部の他方の側、あるいは口金部を構成する第２の口金部において円周上に配設され、突設部が係脱自在に係合し得る複数の係合凹部とから構成されている。
【００１０】
この場合には、発光管（または口金部）の側あるいは第１の口金部の突設部が、口金部（または発光管）の側あるいは第２の口金部の係合凹部に係合することで、発光管の口金部に対する回転角度位置がセットされるので、一旦セットされた回転角度位置が振動等で簡単にずれることはなく、これにより、照射光の向きの変更を確実に行えるようになる。
【００１１】
請求項３の発明では、請求項２において、突設部の係合凹部に対する係合状態は、発光管を口金部に対して回転させることにより（手段１）、または発光管を口金部から離れる側に移動させることにより（手段２）、解除されるようになっている。
【００１２】
請求項３の発明によれば、手段１の場合には、発光管を口金部に対して回転させると、発光管（または口金部）の側あるいは第１の口金部の突設部が口金部（または発光管）の側あるいは第２の口金部の係合凹部から外れるとともに、発光管が口金部に対して回転し、当該突設部が別の係合凹部に係合して、突設部の係合凹部に対する新たな係合状態が形成される。
【００１３】
また、手段２の場合には、まず、発光管を口金部から離れる側に移動させることで、発光管側（または口金部側）あるいは第１の口金部の突設部の口金部側（または発光管側）あるいは第２の口金部の係合凹部に対する係合状態が解除される。この状態から、発光管を口金部に対して回転させた後、発光管を再び口金部の側に接近させることにより、突設部の係合凹部に対する新たな係合状態が形成される。
【００１４】
請求項４の発明では、請求項２において、突設部が設けられた発光管または口金部には、突設部の係合凹部に対する係合状態を強制的に解除するための操作部がさらに設けられている。
【００１５】
この場合、発光装置の照射光の向きを変更する際には、まず、操作部を操作して突設部の係合凹部に対する係合状態を強制的に解除させる。この状態から、発光管を口金部に対して回転させることにより、照射光の向きを変更できる。
【００１６】
請求項５の発明では、請求項２において、突設部が口金部の電極に電気的に接続されている。
【００１７】
請求項５の発明においては、外部のソケット部に接続される口金部の電極に突設部が電気的に接続されていることで、突設部およびこれが係合する係合凹部を介して、外部のソケット部からの電圧が発光管に印加されるようになっている。この場合には、外部のソケット部との間でリード線等の配線を不要にした発光装置を実現できる。
【００１８】
請求項６の発明では、請求項１において、発光管の口金部に対する回転量を規制する回転量規制手段が設けられている。
【００１９】
この場合には、回転量規制手段により発光管の口金部に対する回転量が規制されることで、例えば、発光装置がリード線等を用いたワイヤ接続構造を有している場合に、発光管の回転時にリード線等のねじれを防止できる。
【発明の効果】
【００２０】
以上のように、本発明に係る発光装置によれば、指向性を有する発光管と、発光管の少なくとも一端側に配置され、外部のソケット部に対して着脱自在に接続される電極を一端に有する口金部と、発光管と口金部の間または口金部に設けられ、発光管の口金部に対する回転角度位置を変更可能な回転角度位置変更手段とを設けたので、発光装置の照射光の向きを変更する際には、回転角度位置変更手段を介して発光管を口金部に対して回転させればよく、これにより、照射光の向きを簡単に変更できる。しかも、この場合には、従来のように基板を直接回動させる必要がないので、照射光の向きを安全に操作できるようになる。
【図面の簡単な説明】
【００２１】
【図１】本発明の第１の実施例による発光装置の概略構成を示す図である。
【図２】図１のII-II線矢視図である。
【図３】図１のIII-III線矢視図である。
【図４】本発明の第２の実施例による発光装置の概略構成を示す図である。
【図５】前記発光装置（図４）における回転角度位置変更部の概略構成図である。
【図６】図５のVI-VI線矢視図である。
【図７】本発明の第３の実施例による発光装置の概略構成を示す図である。
【図８】前記発光装置（図７）における発光管端部および口金部分の概略構成図である。
【図９】図８のIX-IX線矢視図である。
【図１０】本発明の第４の実施例による発光装置の端部側の概略構成を示す斜視図である。
【図１１】前記発光装置（図１０）におけるピンロック状態を示す図である。
【図１２】前記発光装置（図１０）におけるピンロック解除状態を示す図である。
【図１３】本発明の第５の実施例による発光装置の概略構成を示す図である。
【図１４】前記発光装置（図１３）の端部側の概略構成を示す斜視図である。
【図１５】前記第５の実施例の変形例による発光装置の概略構成を示す図である。
【図１６】前記発光装置（図１５）において隣り合う発光管同士を連結する連結具の正面拡大図である。
【図１７】本発明の第６の実施例による発光装置の概略構成を示す図である。
【図１８】前記発光装置（図１７）の端部側の概略構成を示す図であって、発光管と口金部の係合状態が解除された状態を示している。
【図１９】図１８のXIX-XIX線断面図である。
【図２０】図１８のXX-XX線断面図である。
【図２１】本発明の第７の実施例による発光装置の概略構成を示す図である。
【図２２】前記発光装置（図２１）の端部側の概略構成を示す縦断面図である。
【図２３】前記発光装置（図２１）の口金部の全体斜視図である。
【発明を実施するための形態】
【００２２】
以下、本発明の実施例を添付図面に基づいて説明する。
〔第１の実施例〕
図１は、本発明の第１の実施例による発光装置を示している。同図に示すように、この発光装置１は、長手方向に直線状に延びる管状の発光管２と、発光管２の端部にそれぞれ配置され、外部のソケット部（図示せず）に対して着脱自在に接続される各々一対のピン端子（電極）３０、４０をそれぞれ一端に有する口金部３、４とを備えている。ソケット部は、例えば屋内の天井や壁面に固定されていたり、制御盤のパネルに固定されていたりするものである。
【００２３】
発光管２の内部には、長手方向に延びる基板１０が配設されており、基板１０の上には、複数のＬＥＤ１１が搭載されている。一般に、ＬＥＤの視野角は一定の範囲に制限されるため、ＬＥＤを光源とする発光管２は指向性を有している。また、光源が基板１０の表面に搭載され、基板１０の裏面には搭載されていないことによっても、発光管２は指向性を有している。
【００２４】
各ＬＥＤ１１は、各ピン端子３０、４０に例えばリード線等（図示せず）を介して電気的に接続されている。また、発光管２は、ガラス管２０で覆われているが、従来の蛍光管のように、内部にガスを封入する必要がないため、気密構造は要求されない。図１に明確に示されるように、本実施例による発光装置の外観構造（後述する以下の各実施例においても同様）は、従来の蛍光管と同様であり、このため、従来の蛍光管と代替可能である。
【００２５】
口金部３は、発光管２の側に配置されかつ発光管２に固定された第１の口金部３Ａと、その外側に配置されかつ一端にピン端子３０が設けられるとともに、第１の口金部３Ａに隣接する第２の口金部３Ｂとから構成されている。
【００２６】
第１の口金部３Ａの端面には、その外周に沿って円環状に延びる領域に複数の歯３ａが形成されている（図２参照）。また、第１の口金部３Ａの端面中央には、穴３１が形成されている。
【００２７】
第２の口金部３Ｂの端面において、第１の口金部３Ａの歯３ａと対向する円環状の領域には、歯３ａと噛み合う複数の歯３ｂが形成されている。また、第２の口金部３Ｂの端面中央には、軸部３２の一端が植設されており、軸部３２の他端は、第１の口金部３Ｂに形成された穴３１内に延びている。これら軸部３２および穴３１により、第１、第２の口金部３Ａ、３Ｂのセンタリング（芯出し）が行われている。
【００２８】
口金部４は、発光管２の側に配置されかつ発光管２に固定されるとともに、凹部４１を有する第１の口金部４Ａと、第１の口金部４Ａの凹部４１内に配置されかつ一端にピン端子４０が設けられた第２の口金部４Ｂとから構成されている。
【００２９】
図３に示すように、第２の口金部４Ｂの外周には、複数の歯４ｂが形成されており、第１の口金部４Ａには、第２の口金部４Ｂの歯４ｂと噛み合う複数の内周歯４ａが形成されている。
【００３０】
口金部３の第１、第２の口金部３Ａ、３Ｂを人の手によって互いに離反する側に向かって軸方向（図１左右方向）に移動させると、第１、第２の口金部３Ａ、３Ｂの各歯３ａ、３ｂの噛合状態が外れ、同様に、口金部４において、第１、第２の口金部４Ａ、４Ｂを互いに離反する側に向かって軸方向（同図左右方向）に移動させると、第１、第２の口金部４Ａ、４Ｂの各歯４ａ、４ｂの噛合状態が外れる。これにより、発光管２が各口金部３、４に対して軸芯回りに回転可能な状態におかれる。したがって、第１、第２の口金部３Ａ、３Ｂおよび第１、第２の口金部４Ａ、４Ｂは、発光管２の各口金部３、４に対する回転角度位置を変更し得る回転角度位置変更手段を構成している。
【００３１】
上述のように構成される発光装置１において、照射光の向きを変更する際には、発光管２および第２の口金部３Ｂ、４Ｂを互いに離れる側に移動させて、第１の口金部３Ａ、４Ａおよび第２の口金部３Ｂ、４Ｂ間のそれぞれの噛合状態を解除する。この操作は、例えば、発光装置１を外部のソケット部から取り外した状態で行う。次に、発光管２を所望の回転角だけ回転させ、その後、第１の口金部３Ａ、４Ａおよび第２の口金部３Ｂ、４Ｂを再び噛み合わせる。この状態で、発光装置１を外部のソケット部に嵌める。
【００３２】
このような本実施例によれば、発光装置１の照射光の向きを変更する際には、発光管２を人が手で回転させるだけでよいので、照射光の向きの変更を簡単に行える。しかも、この場合には、発光管２を回転させればよく、発光管内部の基板１０を直接回動させる必要がないので、照射光の向きを安全に操作できるようになる。さらに、この場合には、第１の口金部３Ａ、４Ａの歯３ａ、４ａおよび第２の口金部３Ｂ、４Ｂの歯３ｂ、４ｂが互いに噛み合うことで、発光管２の第２の口金部３Ｂ、４Ｂに対する回転角度位置がセットされるので、一旦セットされた回転角度位置が振動等で簡単にずれることはなく、これにより、照射光の向きの変更を確実に行えるようになる。
【００３３】
なお、前記第１の実施例では、各口金部３、４の構造が互いに異なる例を示したが、双方の口金部３、４は同じ構造を有していてもよい。すなわち、口金部４を口金部３と同一の構造にし、または口金部３を口金部４と同一の構造にしてもよい。
【００３４】
口金部４を口金部３と同一の構造にした場合には、発光管２を第２の口金部３Ｂ、４Ｂから離反させる際に、発光管２の軸方向の移動量が少なくて済むので、各歯３ａ、３ｂの高さを低くすることで、とくに外部のソケット部が圧入式のものである場合に、発光装置１を外部のソケット部に嵌めた状態で発光管２を回転させることも可能になる。
【００３５】
また、前記第１の実施例では、各口金部３、４がいずれもギヤ噛合構造を有している例を示したが、例えば口金部４において第２の口金部４Ｂとしてラチェットホイール（爪車）を用いるとともに、第１の口金部４Ａとして第２の口金部４Ｂに係合するポール（爪）を用いたラチェット係合機構を採用するようにしてもよい。このようなラチェット係合機構を双方の口金部３、４に用いた場合には、発光管２が一方向にしか回転できなくなるものの、発光装置１を外部のソケット部に取り付けた状態で照射光の向きを変更できるようになる。
【００３６】
〔第２の実施例〕
図４は、本発明の第２の実施例による発光装置を示している。なお、この第２の実施例において、前記第１の実施例と同一符号は同一または相当部分を示している。同図に示すように、この発光装置１は、長手方向に直線状に延びるとともに、ＬＥＤ１１が搭載された基板１０を内部に有する管状の発光管２と、発光管２の両端にそれぞれ配置され、外部のソケット部（図示せず）に対して着脱自在に接続される一対のピン端子（電極）３０をそれぞれ一端に有する口金部３と、発光管２と各口金部３の間に設けられ、発光管２の各口金部３に対する回転角度位置を変更するための回転角度位置変更部５とを備えている。
【００３７】
回転角度位置変更部５は、図５および図６に示すように、発光管２の端面２ａにおいて円周上に所定間隔（好ましくは等間隔）で配置された複数の穴２１を有しており、各穴２１内には、ボール（突設部）２２が穴２１の開口端に対して出没自在に収容されるとともに、圧縮コイルバネ２３が縮設されている。ボール２２は、圧縮コイルバネ２３の弾性反発力により、その一部が穴２１の開口端から突出する方向に常時付勢されている。また、発光管２の端部外周には、円周溝２ｂが形成されている。
【００３８】
また、回転角度位置変更部５は、図４および図５に示すように、発光管２の端部を保持するとともに口金部３に連結される保持部５０を有している。保持部５０の外側端面５０ａの中央には、軸部５１の一端が植設されており、軸部５１の他端は、口金部３に形成された穴３３（図４）内に嵌合して穴３３に固定されている。保持部５０の内側端面５０ｂには、円周上に所定間隔（好ましくは等間隔）で球面状（または円錐状あるいは角錐状）の浅い穴（係合凹部）５２が複数個形成されている。各穴５２の間隔は、発光管２の側の各穴２１の間隔に対応しており、各穴５２には、各ボール２２が係脱自在に係合するようになっている。また、保持部５０の内側端面５０ｂの外周縁部の一部は、発光管２の側に向かって薄肉状に延設されており、この延設部５３の先端には、半径方向内方に向かって屈曲する屈曲部５３ａが形成されている。屈曲部５３ａが発光管外周の円周溝２ｂに係合することで、保持部５０が発光管２の端部に着脱自在に装着されるようになっている。
【００３９】
上述のように構成される発光装置１において、照射光の向きを変更する際には、発光装置１を外部のソケット部に嵌めた状態で、発光管２を各口金部３および各保持部５０の回りに所望の回転角だけ回転させる。すると、保持部５０の各穴５２に係合していた発光管端部の各ボール２２が各穴５２を離脱して発光管２とともに回転し、発光管２が所望の回転角だけ回転した後、発光管端部の各ボール２２が対応する各穴５２に係合する。なお、発光管２の回転途中においては、ボール２２が穴５２に嵌り込んでも、ボール２２はすぐに穴５２から離脱して発光部２とともに回転する。
【００４０】
このような本実施例によれば、発光装置１の照射光の向きを変更する際には、発光管２を人が手で回転させるだけでよいので、照射光の向きの変更を簡単に行える。しかも、この場合には、発光管２を回転させればよく、発光管内部の基板１０を直接回動させる必要がないので、照射光の向きを安全に操作できるようになる。さらに、この場合には、各ボール２２が各穴５２に係合することで、発光管２の口金部３に対する回転角度位置がセットされるので、一旦セットされた回転角度位置が振動等で簡単にずれることはなく、これにより、照射光の向きの変更を確実に行えるようになる。
【００４１】
なお、前記第２の実施例では、各ボール２２を付勢するバネとして圧縮コイルバネ２３を用いた例を示したが、圧縮コイルバネ２３のかわりに、板バネを用いるようにしてもよい。
【００４２】
また、前記第２の実施例では、突設部としてのボール２２を発光管２の側に設け、突設部が係合する係合凹部としての穴５２を保持部５０の側に形成した例を示したが、本発明は、これとは逆に、保持部５０の側にボールを設け、当該ボールが係合する穴を発光管２の側に形成するようにしてもよい。
【００４３】
前記第２の実施例において、各ＬＥＤ１１と各ピン端子３０との電気的接続は、前記第１の実施例と同様に、例えばリード線等を介して行われるが、導電性の軸部およびこれに接続するブラシを用いてもよく、あるいは電磁式のラッチ式接点を用いるようにしてもよい。
【００４４】
〔第３の実施例〕
図７は、本発明の第３の実施例による発光装置を示している。なお、この第３の実施例において、前記第１、第２の実施例と同一符号は同一または相当部分を示している。同図に示すように、この発光装置１は、長手方向に直線状に延びるとともに、ＬＥＤ１１が搭載された基板１０を内部に有する管状の発光管２と、発光管２の両端にそれぞれ配置され、外部のソケット部（図示せず）に対して着脱自在に接続される一対のピン端子（電極）３０をそれぞれ一端に有する口金部３とを備えている。
【００４５】
図８および図９に示すように、発光管２の端部には、導電性のエンドプレート２４が取り付けられている。エンドプレート２４は、概略円環状の部材であって、その内周縁部の一部は発光管２の内部に向かって軸方向に延設されており、この延設部２４ａは、基板１０の端部にボルト６ａおよびナット６ｂにより固定されている。エンドプレート２４は、基板１１上の配線個所に電気的に接続されている。エンドプレート２４の外側端面には、円周上に所定の間隔（好ましくは等間隔）で球面状（または円錐状あるいは角錐状）の浅い穴（係合凹部）２５が複数個形成されている。また、発光管２の端部外周には、円周溝２ｂが形成されている。
【００４６】
口金部３の内側端面３ｃは、円周上に所定間隔（好ましくは等間隔）で配置された複数の穴３４を有しており、各穴３４の間隔は、発光管２の側の各穴２５の間隔に対応している。各穴３４内の開口端側には、導電性のボール（突設部）３５が当該開口端に対して出没自在に収容され、各穴３４の底部側には、ピン端子３０の基部が挿入されており、各穴３４内において、ピン端子３０の基部およびボール３５間には、導電性の圧縮コイルバネ３６が縮設されている。圧縮コイルバネ３６の一端は、ボール３５に圧接し、他端はピン端子３０の基部に圧接している。ボール３５は、圧縮コイルバネ３６の弾性反発力により、その一部が穴３４の開口端から突出する方向に常時付勢されている。また、ピン端子３０は、圧縮コイルバネ３６を介してボール３５に電気的に接続されている。
【００４７】
また、口金部３の内側端面３ｃの外周縁部の一部は、発光管２の側に向かって薄肉状に延設されており、この延設部３６の先端には、半径方向内方に向かって屈曲する屈曲部３６ａが形成されている。屈曲部３６ａが発光管外周の円周溝２ｂに係合することで、口金部３が発光管２の端部に着脱自在に装着されるようになっている。
【００４８】
上述のように構成される発光装置１において、照射光の向きを変更する際には、発光装置１を外部のソケット部に嵌めた状態で、発光管２を各口金部３の回りに所望の回転角だけ回転させる。すると、発光管２のエンドプレート２４の各穴２５に係合していた口金部３の各ボール３５が各穴２５を離脱して、発光管２が回転する。そして、発光管２が所望の回転角だけ回転した後、口金部３の各ボール３５がエンドプレート２４の対応する各穴２５に係合する。なお、発光管２の回転途中においては、ボール３５が穴２５に嵌り込んでも、ボール３５はすぐに穴２５から離脱して、発光部２が回転する。
【００４９】
このような本実施例によれば、発光装置１の照射光の向きを変更する際には、発光管２を人が手で回転させるだけでよいので、照射光の向きの変更を簡単に行える。しかも、この場合には、発光管２を回転させればよく、発光管内部の基板１０を直接回動させる必要がないので、照射光の向きを安全に操作できるようになる。さらに、この場合には、各ボール３５が各穴２５に係合することで、発光管２の口金部３に対する回転角度位置がセットされるので、一旦セットされた回転角度位置が振動等で簡単にずれることはなく、これにより、照射光の向きの変更を確実に行えるようになる。
【００５０】
また、この場合には、外部のソケット部に接続される口金部３のピン端子３０に各ボール３５が電気的に接続されていることで、各ボール３５およびこれが係合する穴２５を介して、外部のソケット部からの電圧が発光管２内部に印加されるようになっている。この場合には、外部のソケット部との間でリード線等の配線を不要にした装置を実現できる。
【００５１】
〔第４の実施例〕
図１０は、本発明の第４の実施例による発光装置を示している。なお、この第４の実施例において、前記第１ないし第３の実施例と同一符号は同一または相当部分を示している。発光管２は、前記各実施例と同様に、長手方向に直線状に延びており、その内部には、ＬＥＤが搭載された基板が収容されている。発光管２の両端には、外部のソケット部（図示せず）に対して着脱自在に接続される一対のピン端子（電極）３０をそれぞれ一端に有する口金部３が設けられている。
【００５２】
発光管２の端面には、当該端面から突出する方向に延びるピン７０を含むピン組立体７が設けられている。ピン組立体７は、発光管２の端面外周に沿って配設された円環状の本体部７Ａと、本体部７Ａの略中央部から発光管２の中心を越えて延びる弾性変形可能な板バネ部７Ｂとを有しており、板バネ部７Ｂの先端近傍にピン７０が植設されている。板バネ部７Ｂの先端には、図１１および図１２に示すように、テーパ面７ａが形成されている。
【００５３】
また、発光管２の端面において、ピン組立体７の上方には、操作ボタン８が設けられている。操作ボタン８は、この例では、横方向に延びるバー８０と、バー８０と直交する方向に垂設された垂設部８１とを有している。垂設部８１の先端には、図１１および図１２に示すように、板バネ部７Ｂのテーパ面７ａと係合するテーパ面８１ａが形成されている。
【００５４】
口金部３の内側端面３ｃには、ピン組立体７のピン７０が係脱自在に係合し得る複数のピン穴３７が円周上に所定間隔（好ましくは等間隔）で形成されている。図１１に示すように、ピン組立体７のピン７０が口金部３のいずれかのピン穴３７に係合している状態がピンロック状態であり、図１２に示すように、ピン７０がピン穴３７から外れている状態がピンロック解除状態である。
【００５５】
上述のように構成される発光装置１において、照射光の向きを変更する際には、発光装置１を外部のソケット部に嵌めた状態で、まず、操作ボタン８のバー８０を人が指で押し込む（図１２参照）。すると、操作ボタン８の垂設部８１先端のテーパ面８１ａが板バネ部７Ｂ先端のテーパ面７ａを押圧し、その結果、板バネ部７Ｂが弾性変形して撓む（図１２参照）。これにより、板バネ部７Ｂの先端近傍に植設されたピン７０が口金部３から離れる側に移動して、ピン７０が口金部３のピン穴３７から外れて、ピン７０およびピン穴３７の係合状態が解除される。
【００５６】
この状態から、発光管２を口金部３の回りに所望の回転角だけ回転させる。発光管２が所望の回転角だけ回転した後は、操作ボタン８のバー８０を元の位置まで引き戻す（図１１参照）。すると、弾性変形していた板バネ部７Ｂが元の状態に戻り、板バネ部７Ｂのピン７０が口金部３のいずれかのピン穴３７に係合する。
【００５７】
このような本実施例によれば、ピン７０のピン穴３７に対する係合状態を強制的に解除するための操作ボタン８を人が指で操作した後、発光管２を口金部３に対して回転させるだけでよいので、発光装置１の照射光の向きを簡単に変更できる。しかも、この場合には、発光管２を回転させればよく、発光管内部の基板を直接回動させる必要がないので、照射光の向きを安全に操作できるようになる。さらに、この場合には、ピン７０がピン穴３７に係合することで発光管２の口金部３に対する回転角度位置がセットされるとともに、操作ボタン８を操作してはじめてピン７０およびピン穴３７の係合状態を解除できるので、一旦セットされた回転角度位置が振動等で簡単にずれることはなく、照射光の向きの変更を確実に行えるようになる。
【００５８】
なお、前記第４の実施例では、ピン７０が板バネ部７Ｂのバネ作用によって、ピン穴３７に対して係脱自在に係合するようにした例を示したが、ピン７０のかわりにボールを用い、板バネ部のかわりに圧縮コイルバネを用いるとともに、ボールが係脱自在に係合する複数の穴を口金部３に形成するようにしてもよい。この場合、操作ボタン８の操作により、ボールが穴から外れる側に移動することになる。
【００５９】
また、前記第４の実施例では、発光管２の側にピン７０および操作ボタン８を設け、ピン７０が係合するピン穴３７を口金部３の側に形成した例を示したが、これとは逆に、口金部３の側にピンおよび操作ボタンを設け、ピンが係合するピン穴を発光管２の側に形成するようにしてもよい。
【００６０】
〔第５の実施例〕
図１３は、本発明の第５の実施例による発光装置を示している。なお、この第５の実施例において、前記第１ないし第４の実施例と同一符号は同一または相当部分を示している。同図に示すように、この発光装置１は、長手方向に直線状に延びるとともに、ＬＥＤ１１が搭載された基板１０を内部に有する管状の発光管２と、発光管２の両端に固着され、一対のピン端子３０Ｃを有する固定口金部３Ｃと、発光管２の両端側にそれぞれ配置されるとともに、外部のソケット部（図示せず）に対して着脱自在に接続される一対のピン端子（電極）３０をそれぞれ一端に有し、発光管２の固定口金部３Ｃに着脱自在に装着される口金部３とを備えている。
【００６１】
口金部３は、図１４に示すように、その内側端面３ｃにおいて円周上に所定間隔（好ましくは等間隔）で配置された複数のピン穴３７を有している。固定口金部３Ｃの各ピン端子３０Ｃは、口金部３の各ピン穴３７に抜き差し自在になっている。また、口金部３のピン端子３０は、ピン孔３７内において、固定口金部３Ｃのピン端子３０Ｃに電気的に接続されている。
【００６２】
上述のように構成される発光装置１において、照射光の向きを変更する際には、発光装置１を外部のソケット部から取り外すとともに、発光装置両端の口金部３を外し、この状態から、発光管２を各口金部３に対して所望の回転角だけ回転させる。回転後、発光管両端の固定口金部３Ｃのピン端子３０Ｃを対応する口金部３のピン穴３７に挿入する。その後、発光装置両端の口金部３のピン端子３０を用いて、発光装置１を再び外部のソケット部に取り付ける。
【００６３】
このような本実施例によれば、発光装置１の照射光の向きを変更する際には、発光管２を口金部３に対して回転させればよいので、照射光の向きの変更を簡単に行える。しかも、この場合には、発光管２を回転させればよく、発光管内部の基板１０を直接回動させる必要がないので、照射光の向きを安全に操作できるようになる。さらに、この場合には、発光管２の固定口金部３Ｃのピン端子３０Ｃが口金部３のピン穴３７に係合することで、発光管２の口金部３に対する回転角度位置がセットされるので、一旦セットされた回転角度位置が振動等で簡単にずれることはなく、これにより、照射光の向きの変更を確実に行えるようになる。
【００６４】
次に、図１５は、この第５の実施例の変形例を示している。ここでは、３本の発光管２を直列に接続した例が示されている。同図において、両端に配置された２つの発光管２の各端部における構造は、前記第５の実施例と同様である。この変形例では、さらに、両端の各発光管２と中央の発光管２との間に連結具３’が設けられている。連結具３’は、図１６に示すように、その両端面において円周上に所定間隔（好ましくは等間隔）で配置された複数のピン穴３７’をそれぞれ有している。各ピン穴３７’には、発光管２の固定口金部３Ｃのピン端子３０Ｃが抜き差し自在になっている。また、隣り合う各固定口金部３Ｃの各ピン端子３０Ｃは、ピン孔３７’内において、電気的接続部３’ａを介して電気的に接続されている。
【００６５】
この場合には、連結具３’を用いることで、複数本の発光管２を直列に接続できるようになり、長尺の発光装置を構成できる。これにより、発光管２として短尺のものを一種類用意しておくだけで、種々の長さの発光装置に対応でき、その結果、製品の在庫を削減できる。また、固定口金部３Ｃに連結具３’を組み合わせることで、非発光領域の長さを長くすることができ、これにより、使用する発光管２の本数を減らすことも可能である。さらに、色相の異なる発光管２を接続することも可能になる。また、互いに接続された各発光管２において、それぞれの照射方向を異ならせるように接続することも可能である。
【００６６】
〔第６の実施例〕
図１７は、本発明の第６の実施例による発光装置を示している。なお、この第６の実施例において、前記第１ないし第５の実施例と同一符号は同一または相当部分を示している。同図に示すように、この発光装置１は、長手方向に直線状に延びるとともに、ＬＥＤ１１が搭載された基板１０を内部に有する管状の発光管２と、発光管２の両端側にそれぞれ配置され、外部のソケット部（図示せず）に対して着脱自在に接続される一対のピン端子（電極）３０をそれぞれ一端に有する口金部３とを備えている。
【００６７】
発光管２の両端部分には、図１８に示すように、小径部２６が形成されており、小径部２６の軸方向先端には、半径方向外方に張り出すフランジ部２７が形成されている（図１９参照）。また、発光管２の両端部分において小径部２６による段差部の端面には、複数の係合穴２９が円周上に所定間隔（好ましくは等間隔）で形成されている（図２０参照）。
【００６８】
口金部３は、有底の筒状部材であって、発光管２の小径部２６に被さるように配置されている。口金部３の内側端面には、半径方向内方に張り出すとともに、小径部２６のフランジ部２７と対向するフランジ部３８が形成されている。各フランジ部２７、３８間には、圧縮バネ２８が介装されている。口金部３の内側端面には、複数の突起３９が設けられている。各突起３９は、発光管２の側の係合穴２９に係脱自在に係合し得るようになっている。
【００６９】
口金部３の内周面には、半径方向内方に突出する一対の突起部３ｆが１８０度間隔で設けられている（図１９参照）。各突起部３ｆは、発光管２の回転時に発光管２の小径部２６のフランジ部２７が円周方向に干渉する位置に配置されている。すなわち、フランジ部２７および突起部３ｆは、発光管２の口金部３に対する回転量を規制する回転量規制手段として機能している。また、口金部３の外側端面に設けられたピン端子３０は、口金部３および発光管２の内部に配設されたリード線１５に電気的に接続されている。
【００７０】
上述のように構成される発光装置１において、照射光の向きを変更する際には、発光装置１を外部のソケット部から取り外し、この状態から、発光管２および口金部３を圧縮バネ２８の弾性反発力に抗して互いに離反する側に移動させる。すると、発光管２の段差部の端面と口金部３の端面との間に隙間が形成され、口金部３の突起３９と発光管２の係合穴２９との係合状態が解除される。この状態から、発光管２を口金部３に対して所望の回転角だけ回転させる。回転後、発光管２および口金部３を圧縮バネ２８の弾性反発力により互いに接近する側に移動させ、口金部３の突起３９を発光管２の別の係合穴２９に係合させて、新たな係合状態を形成させる。以上の操作を発光管２両端の各口金部３について行う。その後、発光装置両端の口金部３のピン端子３０を用いて、発光装置１を再び外部のソケット部に取り付ける。
【００７１】
このような本実施例によれば、発光装置１の照射光の向きを変更する際には、発光管２を人が手で口金部３に対して回転させればよいので、照射光の向きの変更を簡単に行える。しかも、この場合には、発光管２を回転させればよく、発光管内部の基板１０を直接回動させる必要がないので、照射光の向きを安全に操作できるようになる。さらに、この場合には、口金部３の突起３９が発光管２の係合穴２９に係合することで、発光管２の口金部３に対する回転角度位置がセットされるので、一旦セットされた回転角度位置が振動等で簡単にずれることはなく、これにより、照射光の向きの変更を確実に行えるようになる。また、この場合、発光管２の回転時には、各フランジ部２７が口金部３の各突起部３ｆに干渉することで発光管２の回転量が１８０度以内に制限されるので、発光管２が必要以上に回転しないように規制でき、これにより、リード線１５の捩じれを防止できる。
【００７２】
〔第７の実施例〕
図２１は、本発明の第７の実施例による発光装置を示している。なお、この第７の実施例において、前記第１ないし第６の実施例と同一符号は同一または相当部分を示している。同図に示すように、この発光装置１は、長手方向に直線状に延びるとともに、ＬＥＤ１１が搭載された基板１０を内部に有する管状の発光管２と、発光管２の両端側にそれぞれ配置され、外部のソケット部（図示せず）に対して着脱自在に接続される一対のピン端子（電極）３０をそれぞれ一端に有する口金部３とを備えている。
【００７３】
発光管２の両端部分の外周には、円周上に所定間隔（好ましくは均等間隔）で複数の窓孔２ｇが貫通形成されている（図２２参照）。一方、口金部３は、図２３に示すように、有底の筒状部材であって、その内側端面において軸芯から離れた位置に、軸方向に延びる切込み３ｓが形成されている。切込み３ｓにより仕切られた薄肉部分３Ｓの外周面上には、一対の突起３ｇおよび操作ボタン（操作部）３ｈが設けられている。各突起３ｇは、発光管２の窓孔２ｇ内に係脱自在に係合し得るようになっている。この係合状態において、操作ボタン３ｈを図２２矢印方向に押し込むと、薄肉部分３Ｓが下方にたわみ、その結果、各突起３ｇが窓孔２ｇから外れて係合状態が解除されるようになっている。また、口金部３を発光管２の小径部２６に被せたとき、小径部２６の先端部分が口金部３内部の係合凹部３ｊに係脱自在に係合している。
【００７４】
上述のように構成される発光装置１において、照射光の向きを変更する際には、発光装置１を外部のソケット部に嵌めた状態で、まず、人が指で操作ボタン３ｈを押し込む（図２２参照）。すると、薄肉部分３Ｓが切込み部３ｓの側にたわんで、各突起３ｇが発光管２の窓孔２ｇから外れる。
【００７５】
この状態から、発光管２を口金部３の回りに所望の回転角だけ回転させる。発光管２が所望の回転角だけ回転した後、操作ボタン３ｈから指を離すと、弾性変形していた薄肉部分３Ｓが元の状態に戻って、口金部３の各突起３ｇが発光管２の別の窓孔２ｇに係合する。
【００７６】
このような本実施例によれば、突起３ｇの窓孔２ｇに対する係合状態を強制的に解除するための操作ボタン３ｈを操作した後、発光管２を人が手で口金部３に対して回転させるだけでよいので、発光装置１の照射光の向きを簡単に変更できる。しかも、この場合には、発光管２を回転させればよく、発光管内部の基板１０を直接回動させる必要がないので、照射光の向きを安全に操作できるようになる。さらに、この場合には、突起３ｇが窓孔２ｇに係合することで発光管２の口金部３に対する回転角度位置がセットされるとともに、操作ボタン３ｈを操作してはじめて突起３ｇおよび窓孔２ｇの係合状態を解除できるので、一旦セットされた回転角度位置が振動等で簡単にずれることはなく、照射光の向きの変更を確実に行えるようになる。
【００７７】
〔他の実施例〕
前記各実施例では、発光管として長手方向に直線状に延びるものを例にとって説明したが、本発明の適用はこれには限定されず、発光管としては、湾曲形状の他、Ｖ字状やＷ字状等の屈曲形状でもよく、あるいはバルブ状のものでもよい。また、口金部を発光管の一端にのみ配置した片口金型の発光管でもよい。
【産業上の利用可能性】
【００７８】
本発明は、一般の照明に用いられる発光装置に好適であり、とくに、ＬＥＤ等の指向性を有する光源を備えた発光装置に適している。
【符号の説明】
【００７９】
１：  発光装置
２：  発光管
２ｇ：  窓孔（係合凹部）
２２：  ボール（突設部）
２５：  穴（係合凹部）
２７：  フランジ部（回転量規制手段）
２９：  係合穴（係合凹部）
３、４：  口金部（回転角度位置変更手段）
３’：  連結具（回転角度位置変更手段）
３Ａ、４Ａ：  第１の口金部（回転角度位置変更手段）
３Ｂ、４Ｂ：  第２の口金部（回転角度位置変更手段）
３ｆ：  突起部（回転量規制手段）
３ｇ：  突起（突設部）
３ｈ：  操作ボタン（操作部）
３０、４０：  ピン端子（電極）
３０Ｃ：  ピン端子（突設部）
３５：  ボール（突設部）
３７、３７’：  ピン穴（係合凹部）
３９：  突起（突設部）
５：  回転角度位置変更部（回転角度位置変更手段）
５２：  穴（係合凹部）
７：  ピン組立体
７０：  ピン（突設部）
８：  操作ボタン（操作部）
【先行技術文献】
【特許文献】
【００８０】
【特許文献１】特開２００６−１０００３６号公報（図４参照）
【特許文献２】特開２００７−２５７９２８号公報（図１、図２参照）
【特許文献３】特開２００７−１２２９３３号公報（図２参照）
【図１】
2011070985.tif 000003
【図２】
2011070985.tif 000004
【図３】
2011070985.tif 000005
【図４】
2011070985.tif 000006
【図５】
2011070985.tif 000007
【図６】
2011070985.tif 000008
【図７】
2011070985.tif 000009
【図８】
2011070985.tif 000010
【図９】
2011070985.tif 000011
【図１０】
2011070985.tif 000012
【図１１】
2011070985.tif 000013
【図１２】
2011070985.tif 000014
【図１３】
2011070985.tif 000015
【図１４】
2011070985.tif 000016
【図１５】
2011070985.tif 000017
【図１６】
2011070985.tif 000018
【図１７】
2011070985.tif 000019
【図１８】
2011070985.tif 000020
【図１９】
2011070985.tif 000021
【図２０】
2011070985.tif 000022
【図２１】
2011070985.tif 000023
【図２２】
2011070985.tif 000024
【図２３】
2011070985.tif 000025